(57)【特許請求の範囲】
【請求項１】
壁構造体の本体フレームの下部に平面方向に回転可能に平板状の脚部を設け、この脚部の上面に、平板の中間を９０度捩った軸を上方に向かって突設し、この軸を囲むように外筒体を前記脚部に取付け、この外筒体の内側に、本体フレームの底部に取付けた内筒体を上下動自在に設け、この内筒体の上部内側に押え板を設け、この押え板の下方に間隔をおいて、内筒体の内周に沿って間隔をおいて複数のストッパーを設け、このストッパーと前記押え板との間に回転板を設け、この回転板の中心に前記軸が貫通する長方形状の軸貫通孔を開孔すると共に、その底面または側面に、前記ストッパーと係脱自在に係合する複数の係合突起を設け、前記内筒体のストッパーと、外筒体底面の脚部との間にコイルスプリングを挿着した構成をなし、前記本体フレームを押し下げることにより、その底部に取付けた内筒体がコイルスプリングを押し縮めて下降し、この時に回転板はその軸貫通孔を貫通する９０度捩った軸にガイドされて９０度回転して、この係合突起とストッパーが係合してロックされ、本体フレームを上げることにより、ロックされた回転板の軸貫通孔を貫通する軸が、コイルスプリングにより押し下げられて、軸と一体に形成した平板状の脚部がその方向を９０度回転するようにしたことを特徴とする移動式壁構造体。
【請求項２】
係合突起を回転板の底面に放射状に複数設けたことを特徴とする請求項１記載の移動式壁構造体。
【請求項３】
ストッパーを、内筒体の内側に設けたリング状のストッパー板の上面に放射状に複数設けたことを特徴とする請求項１記載の移動式壁構造体。
【発明の詳細な説明】
【技術分野】
【０００１】
本発明は、防球フェンスなどの手に持って移動できる移動式壁構造体に関するものである。
【背景技術】
【０００２】
卓球競技では、コートの周りを囲むように、複数の防球フェンスを壁状に立て掛けて、ボールがコート外へ出ることを防止している。
【０００３】
従来の一般的な防球フェンスは、フェンス部の本体フレームの底部に、フェンス部を支える平板状の脚部が回動自在に連結された構造をなしている。この防球フェンスは、使用時にフェンス部と直角となるよう脚部を回転させて自立できる状態にして壁状に立て掛けて並べて使用し、収納時はフェンス部と平行になるよう脚部を回転させている。しかしながら、何れの場合も手や足で脚部を回転させるので、コートを囲う多数の防球フェンスについて脚部の回転を行うのは面倒であり、特に練習が終了した後の作業は身体的に大きな負担となっていた。
【０００４】
また枠体と脚部をプラスチックパイプで形成し、ネットを張設する枠体の下横バーに連結具を設け、ここに短支柱を回動自在に取付け、この短支柱の下端に脚部を水平方向に回転自在に取付け、使用時には脚部を枠体と直交して設置し、収納時には脚部を枠体の下横バーの下方に平行になるようにした球技用防球フェンス（特許文献１）も提案されている。しかしながらこの構造も、使用時や収納時に枠体を持ち上げて手や足で脚部を回転させる必要があり、同様に作業が面倒である。
【先行技術文献】
【特許文献】
【０００５】
【特許文献１】実用新案登録第３１５９９５２号
【発明の概要】
【発明が解決しようとする課題】
【０００６】
本発明は上記問題を改善し、壁構造体となる本体フレームを押し下げて戻すだけで自動的に平板状の脚部が９０度ずつ回転し、使用時や収納時の脚部の開閉操作を自動的に行なって、特に卓球競技でコートの周りを囲むように、多数の防球フェンスを壁状に立て掛ける設置作業や収納作業が容易で、身体的な負担を軽減させた移動式壁構造体を提供するものである。
【課題を解決するための手段】
【０００７】
本発明の請求項１記載の移動式壁構造体は、壁構造体の本体フレームの下部に平面方向に回転可能に平板状の脚部を設け、この脚部の上面に、平板の中間を９０度捩った軸を上方に向かって突設し、この軸を囲むように外筒体を前記脚部に取付け、この外筒体の内側に、本体フレームの底部に取付けた内筒体を上下動自在に設け、この内筒体の上部内側に押え板を設け、この押え板の下方に間隔をおいて、内筒体の内周に沿って間隔をおいて複数のストッパーを設け、このストッパーと前記押え板との間に回転板を設け、この回転板の中心に前記軸が貫通する長方形状の軸貫通孔を開孔すると共に、その底面または側面に、前記ストッパーと係脱自在に係合する複数の係合突起を設け、前記内筒体のストッパーと、外筒体底面の脚部との間にコイルスプリングを挿着した構成をなし、前記本体フレームを押し下げることにより、その底部に取付けた内筒体がコイルスプリングを押し縮めて下降し、この時に回転板はその軸貫通孔を貫通する９０度捩った軸にガイドされて９０度回転して、この係合突起とストッパーが係合してロックされ、本体フレームを上げることにより、ロックされた回転板の軸貫通孔を貫通する軸が、コイルスプリングにより押し下げられて、軸と一体に形成した平板状の脚部がその方向を９０度回転するようにしたことを特徴とするものである。
【０００８】
本発明の請求項２記載の移動式壁構造体は、請求項１において、係合突起を回転板の底面に放射状に複数設けたことを特徴とするものである。
【０００９】
本発明の請求項３記載の移動式壁構造体は、請求項１において、ストッパーを、内筒体の内側に設けたリング状のストッパー板の上面に放射状に複数設けたことを特徴とするものである。
【発明の効果】
【００１０】
本発明に係る請求項１記載の移動式壁構造体によれば、倉庫などの保管されている状態では、かさ張らないように脚部は本体フレームの横方向に沿って平行に位置させている。これを設置場所に運び、床や路面に置いて本体フレームを押し付けると、内筒体が下降してコイルスプリングが押し縮められる。この内筒体が下がる時、軸の位置は変わらないので、回転板は中間を９０度捩った軸にガイドされて押し下げられ、ストッパーはそのまま下降するが、回転板は捩った軸にガイドされて押し下げられるので時間差が生じ、回転板の係合突起とストッパーとのロックが一時的に解除されて回転板は回転しながら捩った部分の下部側まで下降してロックされる。
【００１１】
次に押し下げた本体フレームを戻して持ち上げると、コイルスプリングが伸びて脚部と軸を押し下げ、この時、回転板は係合突起と、ストッパーが係合してロックされている状態で回転できず、コイルスプリングの弾性により脚部が押し下げられ、これと一体に接続された軸が、ロックされている回転板の軸貫通孔を下方に向かって通過する時に９０度回転し、これと一体に形成した平板状の脚部も９０度回転し、本体フレームの横方向と直交した状態となる。
【００１２】
このように本体フレームを床に押し付けてから戻すことにより、ワンタッチで脚部が自動的に９０度ずつ回転するので、従来のように手や足で脚部を回転させる必要がなく、多数の防球フェンス１を壁状に立て掛ける設置作業や収納作業が容易で、身体的な負担を大幅に軽減させることができる。
【００１３】
また請求項２記載の移動式壁構造体によれば、係合突起を回転板の底面に放射状に複数設けたので、構造が簡単で製造が容易である上、ストッパーとの係合が確実に行なえる。
【００１４】
また請求項３記載の移動式壁構造体によれば、ストッパーを、内筒体の内側に設けたリング状のストッパー板の上面に放射状に複数設けたので、構造が簡単で製造が容易である上、係合突起との係合が確実に行なえる。
【発明を実施するための最良の形態】
【００１５】
以下、卓球競技でコートの周りを囲む防球フェンスに適用した場合の本発明の実施の一形態を図１ないし図６を参照して詳細に説明する。
【００１６】
図１に示すように防球フェンス１のパイプで構成された本体フレーム２の底部にＴ形のパイプジョイント３が取付けられ、このパイプジョイント３の下部を内筒体４とし、これを囲むように平板状の脚部６に固定された外筒体５が設けられている。本体フレーム２の下方には平板状の脚部６が設けられ、この脚部６の中央に図２および図３に示すように、平板の中間を９０度捩った軸７が上方に向かって突設され、この軸７を囲むように外筒体５が平板状の脚部６の上面に突設されている。また前記軸７の上部は左右に突出した段部９、９が形成されている。
【００１７】
前記内筒体４の上部内側にはリング状の押え板８が取付けられ、この押え板８の下方に間隔をおいて、軸７が貫通するリング状のストッパー板１０が内筒体４の内側に取付けられ、この上面に９０度間隔で放射状に４個のストッパー１１が突設されている。
【００１８】
このストッパー板１０と前記リング状の押え板８との間には、内筒体４の内径より、小さな外径の回転板１２が設けられている。この回転板１２の中央には図２に示すように、中間を９０度捩った軸７が上下動自在に貫通する長方形状の軸貫通孔１４が開孔されている。図３（Ａ）に示すように、この軸貫通孔１４を貫通した軸７の上部に、これより幅広に形成した左右の段部９、９が回転板１２の上面に接触して、軸７と一体に形成した脚部６が抜け落ちないようになっている。
【００１９】
更にこの回転板１２の底面には、前記ストッパー板１０の上面に形成したストッパー１１と係脱自在に係合する４個の係合突起１５が９０度間隔で放射状に突設されている。また内筒体４の内側のストッパー板１０の底面と、外筒体５の内側の脚部６の上面との間に、軸７を囲むようにコイルスプリング１６が挿着されて、脚部６を常時下方に向かって弾性的に押圧している。
【００２０】
上記構成の防球フェンス１は、倉庫などの保管されている状態では脚部６は本体フレーム２の横方向に沿って平行に位置させてかさ張らないようにしている。この状態でコートに運び、図３（Ａ）に示すように床１９に置く。この時、本体フレーム２を床１９に押し付けると、図４（Ａ）に示すように内筒体４が下降し、この内面に取付けたストッパー板１０も下がる。ストッパー板１０が下がると、ここに上部が接触しているコイルスプリング１６が押し縮められる。
【００２１】
この内筒体４が下がる時、軸７の位置は変わらないので、押え板８の下降によりこの下の回転板１２も、中間を９０度捩った軸７にガイドされて押し下げられる。この時、ストッパー１１を突設したストッパー板１０はそのまま下降するが、回転板１２は捩った軸７にガイドされて押し下げられるので時間差が生じ、回転板１２の係合突起１５とストッパー１１とのロックが一時的に解除されて回転板１２は自由に回転できるようになり、捩った軸７にガイドされて図４（Ｂ）に示すように回転しながら捩った部分の下部側まで下降して、回転板１２の底面に放射状に突設されている係合突起１５と、ストッパー板１０の上面に放射状に突設されているストッパー１１が係合して、回転板１２は９０度回転した状態でロックされる。
【００２２】
次に押し下げた本体フレーム２を戻してやや床１９から持ち上げると、図５（Ａ）に示すようにコイルスプリング１６が伸びて脚部６と軸７を押し下げる。この時、回転板１２は底面の係合突起１５と、ストッパー１１が係合してロックされている状態で回転できず、コイルスプリング１６の弾性により脚部６が押し下げられ、これと一体に接続された軸７が、ロックされている回転板１２の軸貫通孔１４を下方に向かって通過する時に９０度回転し、これと一体に形成した平板状の脚部６も９０度回転し、図５（Ｂ）に示すように本体フレーム２の横方向と直交した状態となる。
【００２３】
また防球フェンス１を片付ける時には、上述と同様に一旦、本体フレーム２を手で床に押し付けてから戻して持ち上げると、同様にコイルスプリング１６の弾性により脚部６が更に９０度回転して本体フレーム２と平行になる。
【００２４】
このように、図６（Ａ）に示すように本体フレーム２を床に押し付けてから戻すことにより、図６（Ｂ）に示すように脚部６が自動的に９０度ずつ回転するので、従来のように手や足で脚部を回転させる必要がなく、多数の防球フェンス１を壁状に立て掛ける設置作業や収納作業が容易で、身体的な負担を大幅に軽減させることができる。なお図１〜図６では本体フレーム２に取付けたシート２０を省略して説明した。
【００２５】
図７は本発明の他の実施の形態を示すもので、回転板１２を略十字状に形成し、各先端部を係合突起１５Ａとすると共に、中心部に９０度捩った軸７が上下動自在に貫通する長方形状の軸貫通孔１４を開孔したものである。またリング状のストッパー板１０は、その上面に９０度間隔で放射状に４個のストッパー１１が突設されている。
【００２６】
この構造も、略十字状に形成した回転板１２の係合突起１５Ａが、ストッパー板１０に突設したストッパー１１と係合してロックされている状態で、本体フレーム２を押し下げると係合突起１５Ａとストッパー１１とのロックが解除されて回転板１２が自由に回転できるようになっている。
【００２７】
なお上記説明では回転板１２の係合突起１５と、ストッパー板１０のストッパー１１を９０度間隔で放射状に形成した場合について示したが、係合突起１５とストッパー１１が係脱自在に係合する構造であれば、その角度や個数は任意に選定することができる。
【産業上の利用可能性】
【００２８】
また移動式壁構造体は、本体フレーム２にプラスチックシートやネット、あるいは板材を取付けても良い。また本発明は、防球フェンス１に限らず、工事現場に設置する安全枠や、室内を仕切る移動式の間仕切りなどに広く適移することができる。                                                                  
【図面の簡単な説明】
【００２９】
【図１】本発明の実施の一形態による防球フェンスの脚部回転機構を一部破断して示す斜視図である。
【図２】図１の防球フェンスの脚部回転機構の部品を分解して示す斜視図である。
【図３】（Ａ）は防球フェンスを床に設置した状態の脚部回転機構を示す断面図で、（Ｂ）はその水平断面図である。
【図４】（Ａ）は防球フェンスを床に押し付けた状態の脚部回転機構を示す断面図で、（Ｂ）はその水平断面図である。
【図５】（Ａ）は防球フェンスを上に戻した状態の脚部回転機構を示す断面図で、（Ｂ）はその水平断面図である。
【図６】（Ａ）は防球フェンスを床に設置した状態の斜視図で、（Ｂ）は脚部を直交させた状態を示す斜視図である。
【図７】本発明の異なる他の実施の形態による脚部回転機構の部品を分解して示す斜視図である。
【符号の説明】
【００３０】
１    防球フェンス                                          
２    本体フレーム                                          
３    パイプジョイント                                      
４    内筒体                                                
５    外筒体                                                
６    脚部                                                  
７    軸                                                    
８    押え板                                                
９    段部                                                  
１０  ストッパー板                                          
１１  ストッパー                                            
１２  回転板                                                
１４  軸貫通孔                                              
１５、１５Ａ  係合突起                                      
１６  コイルスプリング                                      
１９  床                                                    
２０  シート                                                
【要約】
【課題】壁構造体となる本体フレームを押し下げて戻すだけで自動的に平板状の脚部が９０度ずつ回転し、壁状に立て掛ける設置作業や収納作業が容易な移動式壁構造体を提供するものである。
【解決手段】防球フェンス１の下部に回転可能に平板状の脚部６を設け、この上面に平板の中間を９０度捩った軸７を上方に向かって突設し、この軸７を囲むように外筒体５を前記脚部６に取付け、この外筒体５の内側に、本体フレーム２の底部に取付けた内筒体４を上下動自在に設け、内筒体４の上部内側に押え板８を設け、この下方に間隔をおいて、複数のストッパー１１を設けたストッパー板１０を取付け、ストッパー１１と押え板８との間に回転板１２を設け、この中心に軸７が貫通する軸貫通孔１４を開孔すると共に、その底面にストッパー１１と係脱自在に係合する複数の係合突起１５を設け、ストッパー板１０と脚部６との間にコイルスプリング１６を挿着したものである。
【選択図】  図１【図１】
0005592586.tif 000002
【図２】
0005592586.tif 000003
【図３】
0005592586.tif 000004
【図４】
0005592586.tif 000005
【図５】
0005592586.tif 000006
【図６】
0005592586.tif 000007
【図７】
0005592586.tif 000008